(57)【要約】【課題】ランプを鉛直方向に旋回可能であり、ユーザの思う通りに移動可能であること。【解決手段】中央支持チューブと、前記中央支持チューブに収容可能で前記中央支持チューブから伸縮可能であり、その壁面には、軸方向に沿う嵌め込み溝が設けられる上部支持チューブと、スリーブと、前記スリーブをスライド可能でありフックを有する内ロッドと、から構成され、前記スリーブの一端は、前記嵌め込み溝内に位置され、前記上部支持チューブの壁面に枢着される伸縮可能チューブと、前記上部支持チューブの頂部に嵌め設けられ、外ねじを有し、前記上部支持チューブの前記嵌め込み溝に応じて方向案内溝が設けられるブッシュと、前記ブッシュの外ねじと螺合し、前記伸縮可能チューブを支持し、前記伸縮可能チューブの前記嵌め込み溝内に位置される部分を保護する調整ナットと、を備える。【選択図】図１
2011008992.tif 000002
【特許請求の範囲】
【請求項１】
中央支持チューブと、
前記中央支持チューブに収容可能で前記中央支持チューブから伸縮可能であり、その壁面には、軸方向に沿う嵌め込み溝が設けられる上部支持チューブと、
スリーブと、前記スリーブをスライド可能でありフックを有する内ロッドと、から構成され、前記スリーブの一端は、前記嵌め込み溝内に位置され、前記上部支持チューブの壁面に枢着される伸縮可能チューブと、
前記上部支持チューブの頂部に嵌め設けられ、外ねじを有し、前記上部支持チューブの前記嵌め込み溝に応じて方向案内溝が設けられるブッシュと、
前記ブッシュの外ねじと螺合し、前記伸縮可能チューブを支持し、前記伸縮可能チューブの前記嵌め込み溝内に位置される部分を保護する調整ナットと、
を備えることを特徴とするランプ支持枠。
【請求項２】
前記伸縮可能チューブのスリーブは、一端には定位穴が設けられ、他端には定位ピンが設けられ、また、内ロッドには、前記スリーブの前記定位ピンが摺動可能な滑り溝が設けられ、前記内ロッドの前記スリーブに嵌め込まれる一端には、定位ピンが設けられることを特徴とする、請求項１に記載のランプ支持枠。
【請求項３】
前記伸縮可能チューブのスリーブと内ロッドは、互いに摺動可能で円錐形状を呈するチューブであることを特徴とする、請求項１に記載のランプ支持枠。
【発明の詳細な説明】
【技術分野】
【０００１】
本発明は、移動可能なランプ支持枠に関し、特に、伸縮可能なランプ枠を有し、ランプを鉛直方向に旋回可能でユーザの思う通りに移動可能なランプ支持枠（ランプスタンド）に関するものである。
【背景技術】
【０００２】
夜間にアウトドアで活動する場合には、照明装置により周りを照明することが必要であるので、アウトドア用のランプが色々開発されて市販されている。また、立設固定式のランプを使用する場合には、ランプの高さを調整することができず、これにより、照明効果が良くなく、使用性が良くない。
【０００３】
上記の問題を解決するために、折畳式ランプ枠が開発された。この折畳式ランプ枠は、支持ベースと、上部支持チューブと、中央支持チューブと、前記上部支持チューブの上で設けられたランプ組付チューブと、を含む。前記支持ベースは、三つの支持脚と、連接台と、中心支持チューブと、締付ナットと、から構成される。前記三つの支持脚が前記連接台に枢着され、前記中心支持チューブが前記連接台の中心穴に取付けられ、前記中央支持チューブが前記中心支持チューブに挿入され、前記締付ナットにより前記中央支持チューブと前記中心支持チューブが脱着可能に連接され、前記上部支持チューブが前記中央支持チューブに連接され、前記上部支持チューブが前記中央支持チューブに収容され可能であり、前記ランプ組付チューブが前記上部支持チューブに連接される。
しかし、このような折畳式ランプ枠によれば、ランプを鉛直方向に旋回することができないので、ランプの高さを調整することができず、且つランプ組付チューブを隠れることができず、収納が極めて不便である。
【発明の概要】
【発明が解決しようとする課題】
【０００４】
本発明の主な目的は、伸縮可能なランプ枠を有し、ランプを鉛直方向に旋回可能でユーザの思う通りに移動可能なランプ支持枠を提供することにある。
【課題を解決するための手段】
【０００５】
本発明の請求項１に記載のランプ支持枠によると、中央支持チューブと、
前記中央支持チューブに収容可能で前記中央支持チューブから伸縮可能であり、その壁面には、軸方向に沿う嵌め込み溝が設けられる上部支持チューブと、
スリーブと、前記スリーブをスライド可能でありフックを有する内ロッドと、から構成され、前記スリーブの一端は、前記嵌め込み溝内に位置され、前記上部支持チューブの壁面に枢着される伸縮可能チューブと、
前記上部支持チューブの頂部に嵌め設けられ、外ねじを有し、前記上部支持チューブの前記嵌め込み溝に応じて方向案内溝が設けられるブッシュと、
前記ブッシュの外ねじと螺合し、前記伸縮可能チューブを支持し、前記伸縮可能チューブの前記嵌め込み溝内に位置される部分を保護する調整ナットと、を備えることを特徴とするランプ支持枠である。
【０００６】
本発明の請求項２に記載のランプ支持枠によると、前記伸縮可能チューブのスリーブは、一端には定位穴が設けられ、他端には定位ピンが設けられ、また、内ロッドには、前記スリーブの前記定位ピンが摺動可能な滑り溝が設けられ、前記内ロッドの前記スリーブに嵌め込まれる一端には、定位ピンが設けられる。
【０００７】
本発明の請求項３に記載のランプ支持枠によると、前記伸縮可能チューブのスリーブと内ロッドは、互いに摺動可能で円錐形状を呈するチューブである。
【発明の効果】
【０００８】
本発明のランプ支持枠によれば、伸縮可能なランプ枠を有し、ランプを鉛直方向に旋回可能であり、ユーザの思う通りに移動可能であるという効果を有する。
【図面の簡単な説明】
【０００９】
【図１】本発明の斜視図である。
【図２】本発明の一部の断面図である。
【図３】本発明の一部の断面図である。
【図４】本発明の伸縮可能チューブの動作を示す模式図である。
【図５】本発明の伸縮可能チューブの別の動作を示す模式図である。
【図６】本発明の使用状態を示す模式図である。
【図７】本発明の使用状態を示す模式図である。
【図８】本発明の使用状態を示す模式図である。
【図９】本発明の使用状態を示す拡大図である。
【図１０】本発明の収納状態を示す模式図である。
【発明を実施するための形態】
【００１０】
以下、本発明の実施の形態を図面に基づいて説明する。
まず、図１から図３を参照する。本発明のランプ支持枠は、支持ベース１と、中央支持チューブ２と、上部支持チューブ３と、伸縮可能チューブ４と、連接台５と、締付ナット６と、ブッシュ７と、調整ナット８と、上部ナット９と、を含む。
【００１１】
支持ベース１は、複数の支持脚１１と、枢着台１２と、中心支持チューブ１３と、締付ナット１４と、から構成され、支持脚１１が枢着台１２に枢着され、中心支持チューブ１３が枢着台１２に組み付けられ、締付ナット１４が中心支持チューブ１３に嵌め設けられる。
【００１２】
中央支持チューブ２は、中心支持チューブ１３に嵌め込まれ、締付ナット１４により中心支持チューブ１３と脱着可能に連接し、
上部支持チューブ３は、中央支持チューブ２に収容可能で中央支持チューブ２から伸縮可能であり、その壁面には、軸方向に沿う嵌め込み溝３１が設けられる。
【００１３】
伸縮可能チューブ４は、スリーブ４１と、スリーブ４１をスライド可能でありフック４２１を有する内ロッド４２と、から構成され、スリーブ４１の一端は、嵌め込み溝３１内に位置され、上部支持チューブ３の壁面に枢着される。
連接台５には、軸方向に沿う貫通孔が設けられ、中央支持チューブ２が前記貫通孔に貫入され、連接台５の上端には外ねじが設けられる。
【００１４】
締付ナット６は、連接台５の上端に設けられた前記外ねじと螺合する。
ブッシュ７は、上部支持チューブ３の頂部に嵌め設けられ、外ねじを有し、上部支持チューブ３の嵌め込み溝３１に応じて方向案内溝７１が設けられる。
調整ナット８は、ブッシュ７の外ねじと螺合し、伸縮可能チューブ４を支持し、伸縮可能チューブ４の嵌め込み溝３１内に位置される部分を保護する。
【００１５】
上部ナット９は、ブッシュ７の外ねじと螺合する内ねじを有し、その頂部には、上部支持チューブ３の端部と螺合するねじ軸９１が設けられる。
次に、図１から図７を参照しながら、本発明の使用状態を説明する。伸縮可能チューブ４と水平面の開角を調整したい場合には、伸縮可能チューブ４を支持するスリーブ４１が上方に移動されるように、調整ナット８を回転して伸縮可能チューブ４を反時計方向に回転すると、伸縮可能チューブ４の端部が上方に移動され、伸縮可能チューブ４の端部に設けられるランプも上方に移動される。また、伸縮可能チューブ４を支持するスリーブ４１が下方に移動されるように、調整ナット８を回転して伸縮可能チューブ４を時計方向に回転すると、伸縮可能チューブ４の端部が下方に移動され、伸縮可能チューブ４の端部に設けられるランプも下方に移動される。
【００１６】
次に、図４及び図５を参照する。伸縮可能チューブ４と地面の距離を調整する方式は下記に説明する。スリーブ４１は、一端には定位穴４１１が設けられ、他端には定位ピン４１２が設けられ、また、内ロッド４２には、スリーブ４１の定位ピン４１２が摺動可能な滑り溝４２２が設けられ、内ロッド４２のスリーブ４２に嵌め込まれる一端には、定位ピン４２３が設けられる。これにより、定位穴４１１によりスリーブ４１が上部支持チューブ３の壁面に固定され、内ロッド４２を引き出しているときには、スリーブ４１の定位ピン４１２が内ロッド４２の滑り溝４２２をスライドし、スリーブ４１の定位ピン４１２が内ロッド４２の定位ピン４２３に当接すると、内ロッド４２をこれ以上引き出すことができない。
【００１７】
また、スリーブ４１と内ロッド４２を円錐形状にしてもよく、そうすると、図５に示すように、スリーブ４１から内ロッド４２を引き出す場合には、両者を緊密に緊迫することができる。
【００１８】
図６及び図７を参照しながら本発明の使用状態を説明する。まず、枢着台１２に対して支持脚１１を回転することにより、支持脚１１が張り出されて地面と接触する。次に、締付ナット１４を緩めて、中心支持チューブ１３から中央支持チューブ２を引き出して、締付ナット１４を締め付けることにより、中央支持チューブ２を定位する。野外にキャンピングする場合には、中心支持チューブ１３から定位針１３１を引き出して地面に差し込み、また、室内に使用する場合には、中心支持チューブ１３から定位針１３１を引き出すことが必要ない。次に、締付ナット６を緩めて、中央支持チューブ２から上部支持チューブ３を引き出して、締付ナット６を締め付けることにより上部支持チューブ３を定位し、この後、図７に示すように、上部ナット９に座りランプ１５を取り付ける。
【００１９】
図８及び図９を参照する。調整ナット８がブッシュ７に対して下方に移動するように、調整ナット８を回転して、嵌め込み溝３１から伸縮可能チューブ４を取り出して、上部支持チューブ３に対して伸縮可能チューブ４を回転して、ブッシュ７に調整ナット８を締め付ける。このとき、伸縮可能チューブ４が調整ナット８に支持され、スリーブ４１から内ロッド４２を引き出すと、内ロッド４２の端部に設けられたフック４２１に吊下げランプ１６を掛けることができる。
【００２０】
図１０を参照する。本発明を収納したい場合には、ブッシュ７から調整ナット８を取外して、スリーブ４１に内ロッド４２を差し込んで、図２に示すように、伸縮可能チューブ４を時計方向に回転することにより、嵌め込み溝３１に伸縮可能チューブ４を入れて、ブッシュ７に調整ナット８を締め付けることにより、外力によって伸縮可能チューブ４が嵌め込み溝３１から意外に離脱することを防止でき、次に、中央支持チューブ２に上部支持チューブ３を差込んで、支持ベース１の中心支持チューブ１３に中央支持チューブを入れて、中心支持チューブ１３へ支持脚１１を寄ると、本発明を収納することができる。
【００２１】
本発明は、ランプ支持枠に適用することができる。
【符号の説明】
【００２２】
１：支持ベース、２：中央支持チューブ、３：上部支持チューブ、４：伸縮可能チューブ、５：連接台、６：締付ナット、７：ブッシュ、８：調整ナット、９：上部ナット、１１：支持脚、１２：枢着台、１３：中心支持チューブ、１４：締付ナット、１５：座りランプ、１６：吊下げランプ、３１：嵌め込み溝、４１：スリーブ、４２：内ロッド、７１：方向案内溝、９１：ねじ軸、１３１：定位針、４１１：定位穴、４１２：定位ピン、４２１：フック、４２２：滑り溝、４２３：定位ピン。
【図１】
2011008992.tif 000003
【図２】
2011008992.tif 000004
【図３】
2011008992.tif 000005
【図４】
2011008992.tif 000006
【図５】
2011008992.tif 000007
【図６】
2011008992.tif 000008
【図７】
2011008992.tif 000009
【図８】
2011008992.tif 000010
【図９】
2011008992.tif 000011
【図１０】
2011008992.tif 000012